(57)【要約】 実施形態は照明モジュールに関する。  実施形態による照明モジュールは、互いに対応するように配置された第１及び第２光源部；前記第１光源部が配置される第１ケース；前記第２光源部が配置される第２ケース；一側が前記第１ケースに連結されて別の一側が前記第２ケースに連結され、前記第１及び第２光源部からの光が通過する第１の穴を有する第１プレート；前記第１プレートと対応するように配置され、前記第１及び第２光源部からの光が通過する第２の穴を有する第２プレート；及び前記第１及び第２プレートに配置された第１及び第２光学シート；を含む。
2014522081.tif 000002
【特許請求の範囲】
【請求項１】
互いに対応するように配置された第１及び第２光源部と、
前記第１光源部が配置される第１ケースと、
前記第２光源部が配置される第２ケースと、
一側が前記第１ケースに連結されて別の一側が前記第２ケースに連結され、前記第１及び第２光源部からの光が通過する第１の穴を有する第１プレートと、
前記第１プレートと対応するように配置され、前記第１及び第２光源部からの光が通過する第２の穴を有する第２プレートと、
前記第１及び第２プレートに配置された第１及び第２光学シートと、
を含む、照明モジュール。
【請求項２】
前記第１光学シートは、前記第１及び第２光源部からの光のうち少なくとも一部を乱反射し、前記第２光学シートは、前記第１及び第２光源部からの光のうち少なくとも一部を正反射する、請求項１に記載の照明モジュール。
【請求項３】
前記第１プレートの第１の穴の大きさと前記第２プレートの第２の穴の大きさは互いに異なる、請求項１に記載の照明モジュール。
【請求項４】
前記第１プレートの第１の穴と前記第２プレートの第２の穴は、複数で均一又は非均一に配置された、請求項１に記載の照明モジュール。
【請求項５】
前記第１光源部は、基板と前記基板上に配置された発光素子を有し、
前記第１ケースは、
前記基板が配置されるベースと、前記ベースに連結されて互いに対応するように配置された上部ケースと下部ケースを有し、
前記上部ケースは前記第１プレートの一側と結合し、前記下部ケースは前記第２プレートの一側と結合する、請求項１に記載の照明モジュール。
【請求項６】
前記光源部の基板と前記ケースのベースとの間に配置される放熱シートをさらに含む、請求項５に記載の照明モジュール。
【請求項７】
前記第１及び第２プレートの外面に配置された第１及び第２拡散板をさらに含む、請求項１に記載の照明モジュール。
【請求項８】
前記第１及び第２プレートと前記第１及び第２ケースに連結される第１及び第２エンドキャップをさらに含む、請求項１に記載の照明モジュール。
【請求項９】
前記第１ケースに配置され、前記第１光源部からの光を前記第２光源部側の方向へ反射する反射部材をさらに含む、請求項１に記載の照明モジュール。
【請求項１０】
前記第１光源部は、基板と前記基板上に配置された発光素子とを含み、
前記反射部材は、前記発光素子の一側の横に配置された第１反射部材と前記発光素子の別の一側の横に配置された第２反射部材とを含む、請求項９に記載の照明モジュール。
【請求項１１】
前記第１反射部材の反射面と前記第２反射部材の反射面は、対称又は非対称である、請求項１０に記載の照明モジュール。
【請求項１２】
前記第１反射部材の反射面と前記第２反射部材の反射面は、双曲線又は楕円である、請求項１１に記載の照明モジュール。
【請求項１３】
前記第１ケースに配置され、前記第１光源部からの光を前記第２光源部側の方向へ集光する光学部材をさらに含む、請求項１に記載の照明モジュール。
【請求項１４】
前記光学部材は、蛍光物質を含む、請求項１３に記載の照明モジュール。
【請求項１５】
前記第１光源部は、基板と前記基板上に配置された発光素子とを含み、
前記光学部材は、前記第１光源部と前記基板上に配置されたレンズである、請求項１３に記載の照明モジュール。
【請求項１６】
前記第１光源部と前記第２光源部との間に配置され、前記第１及び第２光源部からの光を前記第１及び第２プレート方向へ反射する反射面を有する反射体をさらに含む、請求項１に記載の照明モジュール。
【請求項１７】
前記反射体の反射面は、所定の曲率を有する、請求項１６に記載の照明モジュール。
【請求項１８】
前記反射体は複数の反射面を有し、
前記複数の反射面は、同一の曲率を有するか互いに異なる曲率を有する、請求項１６に記載の照明モジュール。
【請求項１９】
前記反射体は、円筒又は多角筒である、請求項１６に記載の照明モジュール。
【請求項２０】
互いに対応するように配置された第１及び第２光源部と、
前記第１光源部が配置される第１ケースと、
前記第２光源部が配置される第２ケースと、
一側が前記第１ケースに連結されて別の一側が前記第２ケースに連結され、前記第１及び第２光源部からの光が通過する複数の穴を有するプレートと、
前記プレートと対応するように配置され、前記第１及び第２光源部からの光を放出する光学プレートと、
前記プレートに配置された光学シートと、
を含む、照明モジュール。
【請求項２１】
前記プレートは、前記穴を有する中心部と前記中心部の両側に配置された外郭部とを含み、
前記外郭部の内面は、前記第１及び第２光源部からの光を反射する反射面である、請求項２０に記載の照明モジュール。
【請求項２２】
前記第１光源部と前記第２光源部との間に配置され、前記第１及び第２光源部からの光を反射する反射体を含む、請求項２０に記載の照明モジュール。
【請求項２３】
前記光学シートは、入射する光を乱反射する、請求項２０に記載の照明モジュール。
【請求項２４】
前記光学プレートは、入射する光を拡散又は励起する、請求項２０に記載の照明モジュール。
【請求項２５】
互いに対応するように配置された第１及び第２光源部と、
前記第１光源部が配置され、前記第１光源部からの光を反射する第１反射面を有する第１ケースと、
前記第２光源部が配置され、前記第２光源部からの光を反射する第２反射面を有する第２ケースと、
一側が前記第１ケースに連結されて別の一側が前記第２ケースに連結され、前記第１ケース側から提供される光を放出する第１光学プレートと、
前記第１光学プレートと対応するように配置され、前記第２ケース側から提供される光を放出する第２光学プレートと、
を含む、照明モジュール。
【請求項２６】
前記第１ケースと前記第２ケースとの間に配置され、前記第１及び第２ケース側から提供される光を前記第１及び第２光学プレートに反射する反射体をさらに含む、請求項２５に記載の照明モジュール。
【請求項２７】
前記反射体は、第１反射面と第２反射面を含み、
前記第１反射面は、入射する光を第１光学プレートに反射し、前記第２反射面は、入射する光を第２光学プレートに反射する、請求項２６に記載の照明モジュール。
【請求項２８】
前記反射体の第１反射面の曲率と前記反射体の第２反射面の曲率は互いに異なる、請求項２７に記載の照明モジュール。
【請求項２９】
前記第１プレートから前記反射体の第１反射面までの最長距離は、前記第２プレートから前記反射体の第２プレートまでの最長距離と互いに異なる、請求項２７に記載の照明モジュール。
【請求項３０】
前記第１及び第２光学プレートは、入射する光を拡散又は励起する、請求項２５に記載の照明モジュール。
【請求項３１】
前記第１ケースの第１反射面は、入射する光を平行光に変換する、請求項２５に記載の照明モジュール。
【請求項３２】
前記第１ケースの第１反射面は、放物面である、請求項３１に記載の照明モジュール。
【請求項３３】
前記第１ケースは、前記第１光源部が配置される配置面を有し、
前記配置面は、前記第２光学プレートの内面と平行した、請求項２５に記載の照明モジュール。
【発明の詳細な説明】
【技術分野】
【０００１】
実施形態は、照明モジュールに関する。
【背景技術】
【０００２】
一般的に、室内又は室外の照明灯として電球や蛍光灯がたくさん使用されているが、このような電球や蛍光灯は寿命が短く、度々交換しなければならないという問題がある。また、従来の蛍光灯は、その使用時間の経過に伴う劣化によって照度が次第に落ちる現象が過度に発生するという問題がある。
【０００３】
このような問題を解決するため、優れた制御性、素早い応答速度、高い電気光変換効率、長い寿命、少ない消費電力及び高い輝度の特性及び感性照明を具現することができる発光ダイオード（ＬＥＤ；Ｌｉｇｈｔ Ｅｍｉｔｔｉｎｇ Ｄｉｏｄｅ）を使用する様々な形態の照明モジュールが開発されている。
【発明の概要】
【発明が解決しようとする課題】
【０００４】
実施形態の目的は、同時に上・下に光を放出する照明モジュールを提供することにある。
【０００５】
また、実施形態の目的は、上へ放出する光の量と下へ放出する光の量を調節することができる照明モジュールを提供することにある。
【０００６】
また、実施形態の目的は、上へ放出する光の配光形態と下へ放出する光の配光形態を異なるように調節することができる照明モジュールを提供することにある。
【０００７】
また、実施形態の目的は、内部の光経路を制御することができる照明モジュールを提供することにある。
【０００８】
また、実施形態の目的は、内部の光のユニフォーミティーを向上させることができる照明モジュールを提供することにある。
【課題を解決するための手段】
【０００９】
実施形態による照明モジュールは、互いに対応するように配置された第１及び第２光源部；前記第１光源部が配置される第１ケース；前記第２光源部が配置される第２ケース；一側が前記第１ケースに連結されて、別の一側が前記第２ケースに連結され、前記第１及び第２光源部からの光が通過する第１の穴を有する第１プレート；前記第１プレートと対応するように配置され、前記第１及び第２光源部からの光が通過する第２の穴を有する第２プレート；及び前記第１及び第２プレートに配置された第１及び第２光学シート；を含む。
【００１０】
ここで、前記第１光学シートは、前記第１及び第２光源部からの光のうち少なくとも一部を乱反射し、前記第２光学シートは、前記第１及び第２光源部からの光のうち少なくとも一部を正反射することができる。
【００１１】
ここで、前記第１プレートの第１の穴の大きさと前記第２プレートの第２の穴の大きさは互いに異なり得る。
【００１２】
ここで、前記第１プレートの第１の穴と前記第２プレートの第２の穴は、複数で均一又は非均一に配置され得る。
【００１３】
ここで、前記第１光源部は、基板と前記基板上に配置された発光素子を有し、前記第１ケースは、前記基板が配置されるベースと、前記ベースに連結されて互いに対応するように配置された上部ケースと下部ケースを有し、前記上部ケースは前記第１プレートの一側と結合し、前記下部ケースは前記第２プレートの一側と結合し得る。
【００１４】
ここで、前記光源部の基板と前記ケースのベースとの間に配置される放熱シートをさらに含み得る。
【００１５】
ここで、前記第１及び第２プレートの外面に配置された第１及び第２拡散板をさらに含み得る。
【００１６】
ここで、前記第１及び第２プレートと前記第１及び第２ケースに連結される第１及び第２エンドキャップをさらに含み得る。
【００１７】
ここで、前記第１ケースに配置され、前記第１光源部からの光を前記第２光源部側の方向へ反射する反射部材をさらに含み得る。
【００１８】
ここで、前記第１光源部は、基板と前記基板上に配置された発光素子とを含み、前記反射部材は、前記発光素子の一側の横に配置された第１反射部材と前記発光素子の別の一側の横に配置された第２反射部材とを含み得る。
【００１９】
ここで、前記第１反射部材の反射面と前記第２反射部材の反射面は、対称又は非対称であり得る。
【００２０】
ここで、前記第１反射部材の反射面と前記第２反射部材の反射面は、双曲線又は楕円であり得る。
【００２１】
ここで、前記第１ケースに配置され、前記第１光源部からの光を前記第２光源部側の方向へ集光する光学部材をさらに含み得る。
【００２２】
ここで、前記光学部材は、蛍光物質を含み得る。
【００２３】
ここで、前記第１光源部は、基板と前記基板上に配置された発光素子を含み、前記光学部材は、前記第１光源部と前記基板上に配置されたレンズであり得る。
【００２４】
ここで、前記第１光源部と前記第２光源部との間に配置され、前記第１及び第２光源部からの光を前記第１及び第２プレート方向へ反射する反射面を有する反射体をさらに含み得る。
【００２５】
ここで、前記反射体の反射面は、所定の曲率を有し得る。
【００２６】
ここで、前記反射体は複数の反射面を有し、前記複数の反射面は同一の曲率を有するか互いに異なる曲率を有し得る。
【００２７】
ここで、前記反射体は、円筒又は多角筒であり得る。
【００２８】
実施形態による照明モジュールは、互いに対応するように配置された第１及び第２光源部；前記第１光源部が配置される第１ケース；前記第２光源部が配置される第２ケース；一側が前記第１ケースに連結されて、別の一側が前記第２ケースに連結され、前記第１及び第２光源部からの光が通過する複数の穴を有するプレート；前記プレートと対応するように配置され、前記第１及び第２光源部からの光を放出する光学プレート；及び前記プレートに配置された光学シート；を含む。
【００２９】
ここで、前記プレートは、前記穴を有する中心部と前記中心部の両側に配置された外郭部を含み、前記外郭部の内面は前記第１及び第２光源部からの光を反射する反射面であり得る。
【００３０】
ここで、前記第１光源部と前記第２光源部との間に配置され、前記第１及び第２光源部からの光を反射する反射体を含み得る。
【００３１】
ここで、前記光学シートは、入射する光を乱反射することができる。
【００３２】
ここで、前記光学プレートは、入射する光を拡散又は励起することができる。
【００３３】
実施形態による照明モジュールは、互いに対応するように配置された第１及び第２光源部；前記第１光源部が配置され、前記第１光源部からの光を反射する第１反射面を有する第１ケース；前記第２光源部が配置され、前記第２光源部からの光を反射する第２反射面を有する第２ケース；一側が前記第1ケースに連結されて別の一側が前記第２ケースに連結され、前記第１ケース側から提供される光を放出する第１光学プレート；及び前記第１光学プレートと対応するように配置され、前記第２ケース側から提供される光を放出する第２光学プレート；を含む。
【００３４】
ここで、前記第１ケースと前記第２ケースとの間に配置され、前記第１及び第２ケース側から提供される光を前記第１及び第２光学プレートに反射する反射体をさらに含み得る。
【００３５】
ここで、前記反射体は第１反射面と第２反射面とを含み、前記第１反射面は入射する光を第１光学プレートに反射し、前記第２反射面は入射する光を第２光学プレートに反射することができる。
【００３６】
ここで、前記反射体の第１反射面の曲率と前記反射体の第２反射面の曲率は、互いに異なり得る。
【００３７】
ここで、前記第１プレートから前記反射体の第１反射面までの最長距離は、前記第２プレートから前記反射体の第２プレートまでの最長距離と互いに異なり得る。
【００３８】
ここで、前記第１及び第２光学プレートは、入射する光を拡散又は励起することができる。
【００３９】
ここで、前記第１ケースの第１反射面は、入射する光を平行光に変換することができる。
【００４０】
ここで、前記第１ケースの第１反射面は、放物面であり得る。
【００４１】
ここで、前記第１ケースは、前記第１光源部が配置される配置面を有し、前記配置面は前記第２光学プレートの内面と平行となり得る。
【発明の効果】
【００４２】
実施形態による照明モジュールを使用すると、上・下に同時に光を放出することができる。
【００４３】
また、上へ放出する光の量と下へ放出する光の量を調節できる利点がある。
【００４４】
また、上へ放出する光の配光形態と下へ放出する光の配光形態を異なるように調節できる利点がある。
【００４５】
また、内部の光経路を制御できる利点がある。
【００４６】
また、内部の光のユニフォーミティーを向上させることができる利点がある。
【図面の簡単な説明】
【００４７】
【図１】実施形態による照明モジュールを上から見た斜視図である。
【図２】図１に示された照明モジュールを下から見た斜視図である。
【図３】図１に示された照明モジュールの分解斜視図である。
【図４】図１のＡ−Ａ’での断面図である。
【図５】図４に示された第１ケースの拡大図である。
【図６】図１に示されたＡ−Ａ’での断面図である。
【図７】図１に示されたＡ−Ａ’での断面図である。
【図８】図７に示された照明モジュールの光学的特性を示すグラフである。
【図９】図７に示された照明モジュールの光学的特性を示すグラフである。
【図１０】第２実施形態による照明モジュールの分解斜視図である。
【図１１】図１０に示された照明モジュールの断面図である。
【図１２】図１１に示された照明モジュールの変形例を示す断面図である。
【図１３】図１１に示された照明モジュールのさらに他の変形例を示す断面図である。
【図１４】図１３に示された照明モジュールの光学的特性を示すグラフである。
【図１５】図１３に示された照明モジュールの光学的特性を示すグラフである。
【図１６】第３実施形態による照明モジュールの分解斜視図である。
【図１７】図１６に示された照明モジュールの断面図である。
【図１８】図１７に示された照明モジュールの変形例を示す断面図である。
【図１９】図１７に示された照明モジュールのさらに他の変形例を示す断面図である。
【図２０】第４実施形態による照明モジュールの分解斜視図である。
【図２１】図２０に示された照明モジュールの断面図である。
【図２２】図２１に示された第４実施形態による照明モジュールの他の例を示す断面図である。
【図２３】図２２に示された反射体のみの斜視図である。
【図２４】図２１に示された照明モジュールの変形例を示す断面図である。
【図２５】図２１に示された照明モジュールのさらに他の変形例を示す断面図である。
【図２６】図２５に示された照明モジュールの光学的特性を示すグラフである。
【図２７】図２５に示された照明モジュールの光学的特性を示すグラフである。
【図２８】図２５に示された照明モジュールの反射体を図２２に示された反射体で代替した場合の光学的特性を示すグラフである。
【図２９】図２５に示された照明モジュールの反射体を図２２に示された反射体で代替した場合の光学的特性を示すグラフである。
【図３０】第５実施形態による照明モジュールを上から見た斜視図である。
【図３１】図３０に示された照明モジュールを下から見た斜視図である。
【図３２】図３０に示された照明モジュールの分解斜視図である。
【図３３】図３０のＢ−Ｂ’での断面図である。
【図３４】図３０に示された第１プレートの内面を見た正面図である。
【図３５】図３４に示された第１プレートの変形例を示す正面図である。
【図３６】図３４に示された第１プレートの変形例を示す正面図である。
【図３７】図３４に示された第１プレートの変形例を示す正面図である。
【図３８】図３３に示された照明モジュールの変形例を示す断面図である。
【図３９】図３３に示された照明モジュールのさらに他の変形例を示す断面図である。
【図４０】第６実施形態による照明モジュールを上から見た斜視図である。
【図４１】図４０に示された照明モジュールを下から見た斜視図である。
【図４２】図４０のＣ−Ｃ’での断面図である。
【図４３】図４２に示された第１ケースのみの拡大図である。
【図４４】図４２に示された反射体のみの斜視図である。
【図４５】図４２に示された照明モジュールの光学的特性を示すグラフである。
【図４６】図４２に示された照明モジュールの光学的特性を示すグラフである。
【発明を実施するための形態】
【００４８】
図面において各層の厚さや大きさは、説明の便宜及び明確性のために誇張されるか、省略されるか、又は概略的に示された。また、各構成要素の大きさは、実際の大きさを全面的に反映するのではない。
【００４９】
本発明による実施形態の説明において、いずれか一つのエレメント（ｅｌｅｍｅｎｔ）が他のエレメントの「上又は下（ｏｎ ｏｒ ｕｎｄｅｒ）」に形成されるものと記載される場合において、上又は下（ｏｎ ｏｒ ｕｎｄｅｒ）は、二つのエレメントが互いに直接（ｄｉｒｅｃｔｌｙ）接触するか、又は一つ以上の別のエレメントが前記二つのエレメントの間に配置されて（ｉｎｄｉｒｅｃｔｌｙ）形成されることを全て含む。また、「上又は下（ｏｎ ｏｒ ｕｎｄｅｒ）」と表現される場合、一つのエレメントを基準として上側方向だけではなく下側方向の意味も含まれる。
【００５０】
以下、添付された図面を参照して実施形態による様々な照明モジュールを説明する。
【００５１】
第１実施形態
図１は、第１実施形態による照明モジュールを上から見た斜視図であり、図２は、図１に示された照明モジュールを下から見た斜視図であり、図３は、図１に示された照明モジュールの分解斜視図であり、図４は、図１のＡ−Ａ’での断面図である。
【００５２】
図１ないし図４を参照すると、第１実施形態による照明モジュールは、第１及び第２プレート１１０ａ，１１０ｂ、第１及び第２光源部１３０ａ，１３０ｂ、第１及び第２ケース１５０ａ，１５０ｂ及び第１及び第２エンドキャップ１７０ａ，１７０ｂを含み得る。
【００５３】
説明の便宜のため、第１及び第２ケース１５０ａ，１５０ｂを先に説明することにする。
【００５４】
図１ないし図４を参照すると、第１ケース１５０ａは、第１光源部１３０ａを収容し、第２ケース１５０ｂは第２光源部１３０ｂを収容する。また、第１ケース１５０ａは、第１プレート１１０ａと第２プレート１１０ｂの一側部を収容し、第２ケース１５０ｂは、第１プレート１１０ａと第２プレート１１０ｂの別の一側部を収容する。したがって、第1ケース１５０ａと第２ケース１５０ｂとの間には、第１及び第２光源部１３０ａ，１３０ｂと第１及び第２プレート１１０ａ，１１０ｂが配置される。
【００５５】
第１及び第２ケース１５０ａ，１５０ｂは、第１及び第２光源部１３０ａ，１３０ｂからの熱を容易に放熱できる材質であり得る。例えば、アルミニウム、アルミニウム合金などであり得る。
【００５６】
以下では、図５を共に参照して第１ケース１５０ａについて具体的に説明することにする。ここで、第１ケース１５０ａと第２ケース１５０ｂは同一であるため、第２ケース１５０ｂに対する説明は、後述する第１ケース１５０ａの説明に代える。
【００５７】
図５は、図４に示された第１ケース１５０ａの拡大図である。
【００５８】
図１ないし図５を参照すると、第１ケース１５０ａは、ベース１５１ａ、上部ケース１５３ａと下部ケース１５５ａを含み得る。上部ケース１５３ａと下部ケース１５５ａは、ネジ等を介してベース１５１ａに結合することもでき、ベース１５１ａ、上部ケース１５３ａと下部ケース１５５ａは、一体で第１ケース１５０ａを構成することができる。
【００５９】
ベース１５１ａは一方向に長く、所定の厚さを有する板形状であり得る。
【００６０】
ベース１５１ａは、内面と外面を有する。ベース１５１ａの内面には、第１光源部１３０ａが配置され、ベース１５１ａの外面は外部に露出する。
【００６１】
上部ケース１５３ａは、ベース１５１ａの一側に連結される。上部ケース１５３ａは一方向に長く、所定の厚さを有する板形状であり得る。
【００６２】
上部ケース１５３ａは、外面と内面及び溝１５３ａ−１を有し得る。上部ケース１５３ａの外面は外部に露出し、溝１５３−１は第１プレート１１０ａの一側部を収容する。上部ケース１５３ａの内面は、下部ケース１５５ａの内面と向かい合う。上部ケース１５３ａの内面とベース１５１ａの内面がなす角度は、実質的に垂直に近い。
【００６３】
下部ケース１５５ａは、ベース１５１ａの別の一側に連結される。下部ケース１５５ａは一方向に長く、所定の厚さを有する板形状であり得る。
【００６４】
下部ケース１５５ａは、外面と内面及び溝１５５ａ−１を有し得る。下部ケース１５５ａの外面は外部に露出し、溝１５５ａ−１は第２プレート１１０ｂの一側部を収容する。下部ケース１５５ａの内面は、上部ケース１５３ａの内面と向かい合う。下部ケース１５５ａの内面とベース１５１ａの内面がなす角度は、実質的に垂直に近い。
【００６５】
ベース１５１ａの内面、上部ケース１５３ａの内面及び下部ケース１５５ａの内面によって、収納部１５７ａが定義される。収納部１５７ａは第１光源部１３０ａを収容又は収納する。
【００６６】
図１ないし図４を参照すると、第１光源部１３０ａは第１ケース１５０ａに収容又は収納される。ここで、第１光源部１３０ａは、図５に示された第１ケース１５０ａの収納部１５７ａに収納されてベース１５１ａの内面上に配置され得る。第２光源部１３０ｂは、第２ケース１５０ｂに収容又は収納される。
【００６７】
第１及び第２ケース１５０ａ，１５０ｂにそれぞれ収納された第１光源部１３０ａと第２光源部１３０ｂは、互いに向かい合うように配置される。
【００６８】
具体的に、第１光源部１３０ａについて詳しく見てみることにする。ここで、第２光源部１３０ｂは第１光源部１３０ａと同一であるため、第２光源部１３０ｂの説明は、後述する第１光源部１３０ａの説明に代える。
【００６９】
第１光源部１３０ａは、基板１３１ａと発光素子１３３ａを含み得る。
【００７０】
基板１３１ａの一面上には複数の発光素子１３３ａが一列に配置される。基板１３１ａの他の一面は、図５に示された第１ケース１５０ａのベース１５１ａの内面に配置される。基板１３１ａは一方向に長く、所定の厚さを有する板形状であり得る。
【００７１】
基板１３１ａは、印刷回路基板（ＰＣＢ：Ｐｒｉｎｔｅｄ Ｃｉｒｃｕｉｔ Ｂｏａｒｄ）、メタルコア印刷回路基板（ＭＣＰＣＢ：Ｍｅｔａｌ Ｃｏｒｅ ＰＣＢ）、軟性印刷回路基板（ＦＰＣＢ：Ｆｌｅｘｉｂｌｅ ＰＣＢ）又はセラミック基板などを含み得る。
【００７２】
発光素子１３３ａは、発光ダイオード（ＬＥＤ）であり得る。
【００７３】
複数の発光素子１３３ａは、同一色を有する光を放出する発光素子であってもよく、互いに異なる色を有する光を放出する発光素子であってもよい。
【００７４】
複数の発光素子１３３ａの間の間隔は同一であり得る。それだけでなく、複数の発光素子１３３ａの間の間隔は異なり得る。
【００７５】
発光素子１３３ａは青色発光素子であってもよく、演色指数（Ｃｏｌｏｒ Ｒｅｎｄｅｒｉｎｇ Ｉｎｄｅｘ：ＣＲＩ）が高い白色発光素子であってもよい。白色発光素子は、青色発光チップの上部に蛍光体を含む合成樹脂がモールディングされ、白色光を発光する発光素子であり得る。ここで、蛍光体は、ガーネット（Ｇａｒｎｅｔ）系（ＹＡＧ，ＴＡＧ）、シリケート（Ｓｉｌｉｃａｔｅ）系、ナイトライド（Ｎｉｔｒｉｄｅ）系、及びオキシナイトライド（Ｏｘｙｎｉｔｒｉｄｅ）系のうち少なくとも何れか一つ以上を含み得る。合成樹脂に黄色系列の蛍光体だけが含まれるようにして自然光（白色光）を具現することができるが、演色指数の向上と色温度の低減のために緑色系列の蛍光体や赤色系列を蛍光体をさらに含み得る。また、合成樹脂に様々な種類の蛍光体が混合された場合、蛍光体の色相による添加比率は、赤色系列の蛍光体よりは緑色系列の蛍光体を、緑色系列の蛍光体よりは黄色系列の蛍光体をさらに多く用いることができる。黄色系列の蛍光体としては、ガーネット系のＹＡＧ、シリケート系、オキシナイトライド系を用いて、緑色系列の蛍光体としてはシリケート系、オキシナイトライド系を用いて、赤色系列の蛍光体はナイトライド系を用いることができる。合成樹脂に様々な種類の蛍光体が混合されたもの以外にも、赤色系列の蛍光体を有する層、緑色系列の蛍光体を有する層、及び黄色系列の蛍光体を有する層がそれぞれ別個に分かれて構成され得る。
【００７６】
第１光源部１３０ａの発光素子１３３ａは、第２光源部１３０ｂの発光素子１３３ｂと互いに向かい合うように配置される。
【００７７】
第１光源部１３０ａの発光素子１３３ａと第２光源部１３０ｂの発光素子１３３ｂは、互いに異なる色温度値を有し得る。例えば、第１光源部１３０ａに含まれた複数の発光素子１３３ａはウォームホワイト発光素子（Ｗａｒｍ ｗｈｉｔｅ ＬＥＤ）であり、第２光源部１３０ｂに含まれた複数の発光素子１３３ｂはクールホワイト発光素子（Ｃｏｏｌ ｗｈｉｔｅ ＬＥＤ）であり得る。ウォームホワイト発光素子とクールホワイト発光素子は、白色光を放出する素子である。ウォームホワイト発光素子とクールホワイト発光素子がそれぞ相関色温度を発散して混合された光の白色光を発散させることができるので、自然太陽光に近いことを示す演色指数（Ｃｏｌｏｒ Ｒｅｎｄｅｒｉｎｇ Ｉｎｄｅｘ：ＣＲＩ）が高まることになる。したがって、実際の物体の色が歪曲される所を防止でき、使用者の目の疲労感を減少させてくれる。
【００７８】
第１光源部１３０ａは放熱シート１３５ａをさらに含み得る。放熱シート１３５ａは、基板１３１ａと第１ケース１５０ａとの間に配置される。
【００７９】
図１ないし図４を参照すると、第１プレート１１０ａと第２プレート１１０ｂは、第１ケース１５０ａと第２ケース１５０ｂとの間に配置される。
【００８０】
第１プレート１１０ａと第２プレート１１０ｂは一方向に長く、所定の厚さを有する板であり得る。
【００８１】
第１プレート１１０ａの一側部は第１ケース１５０ａに連結され、別の一側部は第２ケース１５０ｂに連結される。第２プレート１１０ｂの一側部は第１ケース１５０ａに連結され、別の一側部は第２ケース１５０ｂに連結される。したがって、第１プレート１１０ａと第２プレート１１０ｂは互いに向かい合うように配置され、両者は実質的に平行するように配置され得る。
【００８２】
第１プレート１１０ａと第２プレート１１０ｂは、第１及び第２光源部１３０ａ，１３０ｂからの光が外部に放出されるようにする。このために、第１及び第２プレート１１０ａ，１１０ｂは、穴１１５ａ，１１５ｂを有し得る。
【００８３】
第１プレート１１０ａの穴１１５ａは、第１プレート１１０ａの外面と内面を貫通する。前記穴１１５ａは、複数で第１プレート１１０ａに配置される。前記穴１１５ａの形状は図面で四角形状であるが、これに限定される訳ではなく、多様な形態の形状を有し得る。前記複数の穴１１５ａは、第１プレート１１０ａに均一に配置されてもよく、非均一に配置されてもよい。例えば、前記複数の穴１１５ａが第１プレート１１０ａの中心部にのみ配置されたり外郭部にのみ配置されてもよく、第１プレート１１０ａの外郭部より中心部にさらに多く配置されたり中心部より外郭部にさらに多く配置されてもよい。
【００８４】
第２プレート１１０ｂの穴１１５ｂは、第２プレート１１０ｂの外面と内面を貫通する。前記穴１１５ｂは、複数で第２プレート１１０ｂに配置される。前記穴１１５ｂの形状は図面で四角形状であるが、これに限定される訳ではなく、多様な形態の形状を有し得る。前記複数の穴１１５ｂは、第２プレート１１０ｂに均一に配置されてもよく、非均一に配置されてもよい。例えば、前記複数の穴１１５ｂが第２プレート１１０ｂの中心部にのみ配置されたり外郭部にのみ配置されてもよく、第２プレート１１０ｂの外郭部より中心部にさらに多く配置されたり中心部より外郭部にさらに多く配置されてもよい。
【００８５】
第１プレート１１０ａの穴１１５ａと第２プレート１１０ｂの穴１１５ｂの大きさは、互いに同じであってもよいだけでなく、図面に示されたように、互いに異なる大きさであってもよい。
【００８６】
第１プレート１１０ａの穴１１５ａと第２プレート１１０ｂの穴１１５ｂの大きさが同じならば、第１プレート１１０ａの穴１１５ａに放出される光の量と第２プレート１１０ｂの穴１１５ｂに放出される光の量が同じである。
【００８７】
反面、第１プレート１１０ａの穴１１５ａと第２プレート１１０ｂの穴１１５ｂの大きさが異なれば、第１プレート１１０ａの穴１１５ａに放出される光の量と第２プレート１１０ｂの穴１１５ｂに放出される光の量が異なる。
【００８８】
すなわち、第１プレート１１０ａの穴１１５ａと第２プレート１１０ｂの穴１１５ｂのうち、穴の大きさがより大きい方がさらに多くの量の光を外部に放出することができる。図面では、第２プレート１１０ｂの穴１１５ｂが第１プレート１１０ａの穴１１５ａよりさらに大きく示されているが、これに限定される訳ではなく、第１プレート１１０ａの穴１１５ａが第２プレート１１０ｂの穴１１５ｂよりさらに大きくてもよい。
【００８９】
図１ないし図３を参照すると、第１及び第２エンドキャップ１７０ａ，１７０ｂは、第１及び第２ケース１５０ａ，１５０ｂと第１及び第２プレート１１０ａ，１１０ｂに作られる直六面体の二つの開口をそれぞれカバーする。
【００９０】
第１及び第２エンドキャップ１７０ａ，１７０ｂは両側に漏れ出す光を防ぎ、実施形態による照明モジュールが安定的に固定されるようにする。
【００９１】
第１及び第２エンドキャップ１７０ａ，１７０ｂは、第１及び第２ケース１５０ａ，１５０ｂにネジなどのような締結手段を介して結合することができる。また、さらに安定した固定のために、第１及び第２プレート１１０ａ，１１０ｂとも一緒に前記締結手段を介して結合することができる。
【００９２】
図６は、図１に示されたＡ−Ａ’での断面図であって、図４に示された照明モジュールの変形例を示す図面である。
【００９３】
図６に示された照明モジュールは、図４に示された照明モジュールに第１光学シート１２０ａと第２光学シート１２０ｂをさらに追加したものである。したがって、以下では、第１及び第２光学シート１２０ａ，１２０ｂに対してのみ具体的に説明し、他の構成要素は上述した内容に代える。ここで、第１及び第２プレート１１０ａ、１１０ｂは、複数の穴を有するか、あるいは、有さないこともある。
【００９４】
第１及び第２光学シート１２０ａ，１２０ｂは、第１及び第２プレート１１０ａ，１１０ｂの内面に配置される。このような第１及び第２光学シート１２０ａは、第１及び第２光源部１３０ａ，１３０ｂからの光を反射又は拡散することができる。
【００９５】
第１光学シート１２０ａは、第１プレート１１０ａの内面に配置され、第１及び第２光源部１３０ａ，１３０ｂからの光を拡散する。特に、第１光学シート１２０ａは、第１及び第２光源部１３０ａ，１３０ｂからの光を乱反射（Ｄｉｆｆｕｓｅｄ ｒｅｆｌｅｃｔｉｏｎ）することができる。
【００９６】
第１光学シート１２０ａが乱反射をすると、第２プレート１１０ｂ方向へ多くの量の光が反射し、第２プレート１１０ｂ方向へ向かう光のユニフォーミティー（ｕｎｉｆｏｒｍｉｔｙ）が向上され得る。
【００９７】
第２光学シート１２０ｂは第２プレート１１０ｂの内面に配置され、第１及び第２光源部１３０ａ，１３０ｂからの光を拡散する。特に、第２光学シート１２０ｂは、第１及び第２光源部１３０ａ，１３０ｂからの光を正反射（Ｓｐｅｃｕｌａｒ ｏｒ ｒｅｇｕｌａｒ ｒｅｆｌｅｃｔｉｏｎ）することができる。
【００９８】
第２光学シート１２０ｂが正反射をすると、第１及び第２光源部１３０ａ，１３０ｂからの光を第１プレート１１０ａ方向へ広く広がるようにすることができる。
【００９９】
特に、第１光学シート１２０ａが乱反射を、第２光学シート１２０ｂが正反射をすれば、第１プレート１１０ａより第２プレート１１０ｂを通じてより多くの光を排出しようとする際に有利である。
【０１００】
第１及び第２光学シート１２０ａ，１２０ｂは、蛍光物質をさらに含み得る。第１及び第２光学シート１２０ａ，１２０ｂに蛍光物質が含まれれば、第１及び第２プレート１１０ａ，１１０ｂを通じて放出される光の演色指数を向上させることができる。
【０１０１】
また、第１及び第２光学シート１２０ａ，１２０ｂは添加剤をさらに含み得る。添加剤は、蛍光物質を第１及び第２光学シート１２０ａ，１２０ｂの内部から均等に分散させる。また、第１及び第２光学シート１２０ａ，１２０ｂは拡散材をさらに含み得る。拡散材は蛍光物質の励起率を高めることができる。
【０１０２】
一方、第１及び第２光学シート１２０ａ，１２０ｂは、第１及び第２光学層１２０ａ，１２０ｂであり得る。第１光学層１２０ａは第１プレート１１０ａの内面に塗装されたものであってもよく、第２光学層１２０ｂは第２プレート１１０ｂの内面に塗装されたものであってもよい。第１光学層１２０ａの役割は、上述した第１光学シート１２０ａの役割と同一であり、第２光学層１２０ｂの役割は上述した第２光学シート１２０ｂの役割と同一である。
【０１０３】
図７は、図１に示されたＡ−Ａ’での断面図であって、図４に示された照明モジュールのさらに他の変形例を示す図面である。
【０１０４】
図７に示された照明モジュールは、図６に示された照明モジュールに第１及び第２拡散板１９０ａ，１９０ｂをさらに追加したものである。したがって、以下では、第１及び第２拡散板１９０ａ，１９０ｂに対してのみ説明し、残りの構成要素は上述した内容に代える。
【０１０５】
ここで、第１及び第２プレート１１０ａ，１１０ｂは、複数の穴を有するか、あるいは、有さないこともある。
【０１０６】
第１拡散板１９０ａは第１プレート１１０ａの外面上に配置され、第２拡散板１９０ｂは第２プレート１１０ｂの外面上に配置され得る。このような第１及び第２拡散板１９０ａ，１９０ｂは、第１及び第２プレート１１０ａ，１１０ｂを通過した光を拡散する。言い換えれば、第１及び第２拡散板１９０ａ，１９０ｂは、実施形態による照明モジュールから放出される光の配光分布をランバート（ｌａｍｂｅｒｔｉａｎ）に作るためである。
【０１０７】
また、第１及び第２拡散板１９０ａ，１９０ｂは、使用者が、外部から第２プレート１１０ｂを介して第１プレート１１０ａの内面に投影された第１及び第２光源部１３０ａ，１３０ｂのホットスポットを見れないようにできる。
【０１０８】
図８及び図９は、図７に示された照明モジュールの光学的特性を示すグラフである。
【０１０９】
図８に示されたグラフにおいて、横軸は位置（ｐｏｓｉｔｉｏｎ）を示し、縦軸は明るさ（ｌｕｘ）を意味する。ここで、横軸の「０」は、図７に示された第１光源部１３０ａと第２光源部１３０ｂの中間地点を意味する。
【０１１０】
図８と図９を参照すると、図７に示された照明モジュールは、上（ｕｐ）と下（ｄｏｗｎ）に同時に光を放出し、下（ｄｏｗｎ）に放出される光の量が上（ｕｐ）に放出される光の量より多いことが分かる。
【０１１１】
第２実施形態
図１０は、第２実施形態による照明モジュールの分解斜視図であり、図１１は、図１０に示された照明モジュールの断面図である。
【０１１２】
ここで、図１０ないし図１１に示された照明モジュールの斜視図は、図１及び図２に示された照明モジュールと同じである。したがって、第２実施形態による照明モジュールの斜視図は、図１及び図２に示された斜視図に代える。
【０１１３】
図１０ないし図１１に示された第２実施形態による照明モジュールの様々な構成のうち、図１ないし図５に示された第１実施形態による照明モジュールと同一の構成は、同一の図面番号を使用した。したがって、第２実施形態による照明モジュールの様々な構成のうち、第１実施形態による照明モジュールの構成と同一の構成の説明は、上記の第１実施形態による照明モジュールで説明した事項に代える。
【０１１４】
以下では、第２実施形態による照明モジュールが、第１実施形態による照明モジュールと異なる部分を中心に説明することにする。
【０１１５】
図１０ないし図１１に示された第２実施形態による照明モジュールは、第１及び第２プレート１１０ａ，１１０ｂ、第１及び第２光源部１３０ａ’，１３０ｂ’、第１及び第２ケース１５０ａ，１５０ｂ、及び第１及び第２エンドキャップ１７０ａ，１７０ｂを含み得る。
【０１１６】
図１０ないし図１１に示された第２実施形態による照明モジュールの第１及び第２光源部１３０ａ’，１３０ｂ’は、図１ないし図５に示された第１及び第２光源部１３０ａ，１３０ｂと異なる。
【０１１７】
具体的に、図１ないし図５に示された第１光源部１３０ａと比較して、図１０ないし図１１に示された第１光源部１３０’は、第１及び第２反射部材１３７ａ−１，１３７ａ−２をさらに含む。同様に、図１０ないし図１１に示された第２光源部１３０ｂ’は、第１及び第２反射部材１３７ｂ−１，１３７ｂ−２をさらに含み得る。第２光源部１３０ｂ’の第１及び第２反射部材１３７ｂ−１，１３７ｂ−２は、第１光源部１３０ａ’の第１及び第２反射部材１３７ａ−１，１３７ａ−２と同一であるため、以下では第１光源部１３０ａ’についてのみ具体的に説明することにする。
【０１１８】
第１反射部材１３７ａ−１と第２反射部材１３７ａ−２は基板１３１ａの上に配置され、発光素子１３３ａを挟んで配置される。また、第１反射部材１３７ａ−１と第２反射部材１３７ａ−２は、第１ケース１５０ａの収納部１５７ａに収納される。また、第１反射部材１３７ａ−１は、第１ケース１５０ａの上部ケース１５３ａの内面に配置され、第２反射部材１３７ａ−２は、第１ケース１５０ａの下部ケース１５５ａの内面に配置される。
【０１１９】
第１反射部材１３７ａ−１と第２反射部材１３７ａ−２は、発光素子１３３ａからの光を反射する反射面を有する。第１反射部材１３７ａ−１の反射面と第２反射部材１３７ａ−２の反射面は、対称であり得る。
【０１２０】
第１反射部材１３７ａ−１の反射面と第２反射部材１３７ａ−２の反射面の断面は、双曲線（Ｈｙｐｅｒｂｏｌａ）の一部分であり得る。この場合、発光素子１３３ａから放出された光は、第１反射部材１３７ａ−１の反射面と第２反射部材１３７ａ−２の反射面に沿って発散することができる。また、第１反射部材１３７ａ−１の反射面と第２反射部材１３７ａ−２の反射面の断面は、楕円（Ｅｌｌｉｐｓｅ）の一部分であり得る。この場合、発光素子１３３ａから放出された光は、第１反射部材１３７ａ−１の反射面と第２反射部材１３７ａ−２の反射面に反射された後、何れか一つの焦点に集まり得る。
【０１２１】
一方、第１反射部材１３７ａ−１の反射面と第２反射部材１３７ａ−２の反射面は、非対称であり得る。すなわち、第１反射部材１３７ａ−１の反射面の断面は双曲線であり、第２反射部材１３７ａ−２の反射面の断面は楕円であり得る。それだけでなく、第１反射部材１３７ａ−１の反射面の断面が楕円であり、第２反射部材１３７ａ−２の反射面の断面も楕円であるが、前記二つの楕円が互いに異なり得る。この場合、発光素子１３３ａから放出された光は、二つの楕円の各焦点に集まり得る。
【０１２２】
図１２は、図１１に示された照明モジュールの変形例を示す断面図である。
【０１２３】
具体的に、図１２に示された照明モジュールは、図１１に示された照明モジュールに、第１光学シート１２０ａと第２光学シート１２０ｂをさらに追加したものである。第１及び第２光学シート１２０ａ，１２０ｂは、図６に示された第１及び第２光学シート１２０ａ，１２０ｂと同一であるため、具体的な説明は先の図６の記述に代える。
【０１２４】
図１３は、図１１に示された照明モジュールのさらに他の変形例を示す断面図である。
【０１２５】
図１３に示された照明モジュールは、図１２に示された照明モジュールに第１及び第２拡散板１９０ａ，１９０ｂをさらに追加したものである。第１及び第２拡散板１９０ａ，１９０ｂは、図７に示された第１及び第２拡散板１９０ａ，１９０ｂと同一であるため、具体的な説明は先の図７の記述に代える。
【０１２６】
図１４ないし図１５は、図１３に示された照明モジュールの光学的特性を示すグラフである。
【０１２７】
図１４に示されたグラフにおいて、横軸は位置（ｐｏｓｉｔｉｏｎ）を示し、縦軸は明るさ（ｌｕｘ）を意味する。ここで、横軸の「０」は、図１３に示された第１光源部１３０ａ’と第２光源部１３０ｂ’の中間地点を意味する。
【０１２８】
図１４と図１５を参照すると、図１３に示された照明モジュールは、上（ｕｐ）と下（ｄｏｗｎ）に同時に光を放出し、下（ｄｏｗｎ）に放出される光の量が上（ｕｐ）に放出される光の量より多いことが分かる。
【０１２９】
第３実施形態
図１６は、第３実施形態による照明モジュールの斜視図であり、図１７は、図１６に示された照明モジュールの断面図である。
【０１３０】
ここで、図１６ないし図１７に示された照明モジュールの斜視図は、図１及び図２に示された照明モジュールと同じである。したがって、第３実施形態による照明モジュールの斜視図は、図１及び図２に示された斜視図に代える。
【０１３１】
図１６ないし図１７に示された第３実施形態による照明モジュールの様々な構成のうち、図１ないし図５に示された第１実施形態による照明モジュールと同一の構成は同一の図面番号を使用した。したがって、第３実施形態による照明モジュールの様々な構成のうち、第１実施形態による照明モジュールの構成と同一の構成の説明は、上記の第１実施形態による照明モジュールで説明した事項に代える。
【０１３２】
以下では、第３実施形態による照明モジュールが、第１実施形態による照明モジュールと異なる部分を中心に説明することにする。
【０１３３】
図１６ないし図１７に示された第３実施形態による照明モジュールは、第１及び第２プレート１１０ａ，１１０ｂ、第１及び第２光源部１３０ａ’’，１３０ｂ’’、第１及び第２ケース１５０ａ，１５０ｂ、及び第１及び第２エンドキャップ１７０ａ，１７０ｂを含み得る。
【０１３４】
図１６ないし図１７に示された第３実施形態による照明モジュールの第１及び第２光源部１３０ａ’’，１３０ｂ’’は、図１ないし図５に示された第１及び第２光源部１３０ａ，１３０ｂと異なる。
【０１３５】
具体的に、図１ないし図５に示された第１光源部１３０ａと比較して、図１６ないし図１７に示された第１光源部１３０ａ’’は、光学部材１３７ａ’をさらに含む。同様に、図１６ないし図１７に示された第２光源部１３０ｂ’’は、光学部材１３７ｂ’をさらに含み得る。第２光源部１３０ｂ’’の光学部材１３７ｂ’は、第１光源部１３０ａ’’の光学部材１３７ａ’と同一であるため、以下では、第１光源部１３０ａ’’についてのみ具体的に説明することにする。
【０１３６】
光学部材１３７ａ’は、発光素子１３３ａを覆うように基板１３１ａの上に配置される。光学部材１３７ａは、発光素子１３３ａと一対一で対応する。また、光学部材１３７ａ’は、第１ケース１５０ａの収納部１５７ａに収納される。
【０１３７】
光学部材１３７ａ’は、発光素子１３３ａからの放出された光を集光する。具体的に、光学部材１３７ａ’は、発光素子１３３ａから放出された光を、第２ケース１５０ｂに収容された第２光源部１３０ｂ’’方向に集光する。
【０１３８】
光学部材１３７ａ’は、例えば、レンズであり得る。レンズ１３７ａ’は、発光素子１３３ａを覆うことができる構造であり得る。具体的に、レンズ１３７ａ’の入射面がレンズ１３７ａ’の内部方向に掘られた溝を有し、前記溝に発光素子１３３ａが配置され得る。レンズ１３７ａ’は、入射面から出射面に行くほど、その直径が増加する形状であり得る。
【０１３９】
光学部材１３７ａ’は、発光素子１３３ａからの光を励起せるための蛍光物質を含み得る。蛍光物質は、ガーネット（Ｇａｒｎｅｔ）系（ＹＡＧ，ＴＡＧ）、シリケート（Ｓｉｌｉｃａｔｅ）系、ナイトライド（Ｎｉｔｒｉｄｅ）系、及びオキシナイトライド（Ｏｘｙｎｉｔｒｉｄｅ）系のうち少なくとも何れか一つ以上を含み得る。
【０１４０】
また、光学部材１３７ａ’は、添加剤をさらに含み得る。添加剤は、蛍光物質を光学部材１３７ａ’の内部に均等に分散させる。また、光学部材１３７ａ’は、拡散材をさらに含み得る。拡散材は、蛍光物質の励起率をさらに高めることができる。
【０１４１】
図１８は、図１７に示された照明モジュールの変形例を示す断面図である。
【０１４２】
具体的に、図１８に示された照明モジュールは、図１７に示された照明モジュールに、第１光学シート１２０ａと第２光学シート１２０ｂをさらに追加したものである。第１及び第２光学シート１２０ａ，１２０ｂは、図６に示された第１及び第２光学シート１２０ａ，１２０ｂと同一であるため、具体的な説明は先の図６の記述に代える。
【０１４３】
図１９は、図１７に示された照明モジュールのさらに他の変形例を示す断面図である。
【０１４４】
図１９に示された照明モジュールは、図１８に示された照明モジュールに、第１及び第２拡散板１９０ａ，１９０ｂをさらに追加したものである。第１及び第２拡散板１９０ａ，１９０ｂは、図７に示された第１及び第２拡散板１９０ａ，１９０ｂと同一であるため、具体的な説明は先の図７の記述に代える。
【０１４５】
一方、第３実施形態による照明モジュールの光学部材１３７ａ’，１３７ｂ’は、第２実施形態による照明モジュールにも適用することができる。
【０１４６】
第４実施形態
図２０は、第４実施形態による照明モジュールの分解斜視図であり、図２１は、図２０に示された照明モジュールの断面図である。
【０１４７】
ここで、図２０ないし図２１に示された照明モジュールの斜視図は、図１及び図２に示された照明モジュールと類似し得る。したがって、第４実施形態による照明モジュールの斜視図は、図１及び図２に示された斜視図に代えることにする。
【０１４８】
図２０ないし図２１に示された第４実施形態による照明モジュールの様々な構成のうち、図１０ないし図１１に示された第２実施形態による照明モジュールと同一の構成は同一の図面番号を使用した。したがって、第４実施形態による照明モジュールの様々な構成のうち、第２実施形態による照明モジュールの構成と同一の構成の説明は、上記の第２実施形態による照明モジュールで説明した事項に代える。
【０１４９】
以下では、第４実施形態による照明モジュールが、第２実施形態による照明モジュールと異なる部分を中心に説明することにする。
【０１５０】
図２０ないし図２１に示された第４実施形態による照明モジュールは、第１及び第２プレート１１０ａ，１１０ｂ、第１及び第２光源部１３０ａ’，１３０ｂ’、第１及び第２ケース１５０ａ，１５０ｂ、反射体１６０、及び第１及び第２エンドキャップ１７０ａ，１７０ｂを含み得る。
【０１５１】
図２０ないし図２１に示された第４実施形態による照明モジュールは、図１０ないし図１１に示された第２実施形態による照明モジュールに反射体１６０をさらに含む。
【０１５２】
反射体１６０は、第１光源部１３０ａ’と第２光源部１３０ｂ’からの光を、第１プレート１１０ａと第２プレート１１０ｂ側に反射する。
【０１５３】
反射体１６０は、第１ケース１５０ａと第２ケース１５０ｂとの間に配置される。具体的に、反射体１６０は、第１ケース１５０ａと第２ケース１５０ｂの中間地点に配置され得る。また、反射体１６０は、第１プレート１１０ａと第２プレート１１０ｂとの間に配置される。具体的に、反射体１６０は、第１プレート１１０ａと第２プレート１１０ｂとの中間地点に配置され得る。また、反射体１６０は、第１光源部１３０ａ’と第２光源部１３０ｂ’との間に配置され得る。具体的に反射体１６０は、第１光源部１３０ａ’と第２光源部１３０ｂ’との中間地点に配置され得る。
【０１５４】
反射体１６０は、一方向に長い円筒形状を有する。ここで、反射体１６０の外面は反射面である。反射体１６０の反射面は丸い曲面であるため、第１及び第２光源部１３０ａ’，１３０ｂ’からの光を広く分散（ｄｉｓｔｒｉｂｕｔｉｏｎ）させることができる。
【０１５５】
反射体１６０の形状は、円筒形状に限定される訳ではない。図２２ないし図２３を参照して反射体１６０の他の例を説明することにする。
【０１５６】
図２２は、図２１に示された第４実施形態による照明モジュールの他の例を示す断面図であり、図２３は、図２２に示された反射体１６０’のみの斜視図である。
【０１５７】
図２２に示された照明モジュールにおいて、反射体１６０’を除いたすべての構成は、図２１に示された照明モジュールの構成と同一であるため、以下では反射体１６０’についてのみ説明することにする。
【０１５８】
図２２及び図２３を参照すると、反射体１６０’は、一方向に長い多角筒形状であり得る。ここで、反射体１６０’の断面が菱形形態を有し得る。本明細書において「菱形形態」とは、幾何学的に完璧な菱形だけでなく、４つの辺が反射体１６０’の外側又は内側に湾曲したものも含む。
【０１５９】
具体的に、反射体１６０’は、少なくとも４つ以上の反射面１６０’−１、１６０’−２、１６０’−３、１６０’−４を有し得る。４つの反射面１６０’−１、１６０’−２、１６０’−３、１６０’−４ は、反射体１６０’の内側に湾曲し得る。ここで、図面に示されてはいないが、４つの反射面１６０’−１、１６０’−２、１６０’−３、１６０’−４は、反射体１６０’の外側に湾曲し得る。
【０１６０】
４つの反射面１６０’−１、１６０’−２、１６０’−３、１６０’−４は全て同一の曲率を有していてもよく、互いに異なる曲率を有していてもよい。例えば、４つの反射面１６０’−１、１６０’−２、１６０’−３、１６０’−４のうち、第１プレート１１０ａと隣接した二つの反射面１６０’−１、１６０’−２と第２プレート１１０ｂと隣接した二つの反射面１６０’−３、１６０’−４の曲率は、互いに異なり得る。また、４つの反射面１６０’−１、１６０’−２、１６０’−３、１６０’−４の全てが互いに異なる曲率を有し得る。
【０１６１】
図２１及び図２２に示された反射体１６０，１６０’は、図２０に示された第１及び第２エンドキャップ１７０ａ，１７０ｂに連結されて第１プレート１１０ａと第２プレート１１０ｂとの間、又は第１光源部１３０ａと第２光源部１３０ｂとの間、又は第１ケース１５０ａと第２ケース１５０ｂとの間に配置され得る。ここで、第１及び第２エンドキャップ１７０ａ，１７０ｂと反射体１６０の連結は、ネジのような締結手段を介して結合することができる。
【０１６２】
一方、図２０ないし図２１に示された第４実施形態による照明モジュールの第１及び第２光源部１３０ａ’，１３０ｂ’は、図１ないし図５に示された第１実施形態による照明モジュールの第１及び第２光源部１３０ａ，１３０ｂであってもよい。
【０１６３】
図２４は、図２１に示された照明モジュールの変形例を示す断面図である。
【０１６４】
具体的に、図２４に示された照明モジュールは、図２１に示された照明モジュールに、第１光学シート１２０ａと第２光学シート１２０ｂをさらに追加したものである。第１及び第２光学シート１２０ａ，１２０ｂは、図６に示された第１及び第２光学シート１２０ａ，１２０ｂと同一であるため、具体的な説明は先の図６の記述に代える。
【０１６５】
図２５は、図２１に示された照明モジュールのさらに他の変形例を示す断面図である。
【０１６６】
図２５に示された照明モジュールは、図２４に示された照明モジュールに、第１及び第２拡散板１９０ａ，１９０ｂをさらに追加したものである。第１及び第２拡散板１９０ａ，１９０ｂは、図７に示された第１及び第２拡散板１９０ａ，１９０ｂと同一であるため、具体的な説明は先の図７の記述に代える。
【０１６７】
図２６及び図２７は、図２５に示された照明モジュールの光学的特性を示すグラフである。
【０１６８】
図２６に示されたグラフにおいて、横軸は位置（ｐｏｓｉｔｉｏｎ）を示し、縦軸は明るさ（ｌｕｘ）を意味する。ここで、横軸の「０」は、図２５に示された第１光源部１３０ａ’と第２光源部の中間地点を意味する。
【０１６９】
図２６と図２７を参照すると、図２５に示された照明モジュールは、上（ｕｐ）と下（ｄｏｗｎ）に同時に光を放出し、下（ｄｏｗｎ）に放出される光の量が上（ｕｐ）に放出される光の量より多いことが分かる。
【０１７０】
図２８及び図２９は、図２５に示された照明モジュールの反射体１６０を、図２２に示された反射体１６０’で代替した場合の光学的特性を示すグラフである。
【０１７１】
図２８に示されたグラフにおいて、横軸は位置（ｐｏｓｉｔｉｏｎ）を示し、縦軸は明るさ（ｌｕｘ）を意味する。ここで、横軸の「０」は、図２５に示された第１光源部１３０ａ’と第２光源部の中間地点を意味する。
【０１７２】
図２８と図２９を参照すると、図２２に示された反射体１６０’を有する図２５の照明モジュールは、上（ｕｐ）と下（ｄｏｗｎ）に同時に光を放出し、下（ｄｏｗｎ）に放出される光の量が上（ｕｐ）に放出される光の量より多いことが分かる。
【０１７３】
第５実施形態
図３０は、第５実施形態による照明モジュールを上から見た斜視図であり、図３１は、図３０に示された照明モジュールを下から見た斜視図であり、図３２は、図３０に示された照明モジュールの分解斜視図であり、図３３は、図３０のＢ−Ｂ’での断面図である。
【０１７４】
第５実施形態による照明モジュールの構成は、図２０ないし図２１に示された第４実施形態による照明モジュールの構成と同一又は類似する。同一の構成要素は、同じ図面番号を使用した。以下では、第４実施形態による照明モジュールと異なる部分を中心に、第５実施形態による照明モジュールを説明することにする。
【０１７５】
図３０ないし図３３を参照すると、第５実施形態による照明モジュールは、第１及び第２プレート１１０ａ’，１１０ｂ’、第１及び第２光源部１３０ａ’，１３０ｂ’、第１及び第２ケース１５０ａ，１５０ｂ、反射体１６０、及び第１及び第２エンドキャップ１７０ａ，１７０ｂを含み得る。
【０１７６】
第５実施形態による照明モジュールの第１及び第２プレート１１０ａ’，１１０ｂ’は、図２０ないし図２１に示された第４実施形態による照明モジュールの第１及び第２プレート１１０ａ，１１０ｂと異なる。以下で具体的に説明することにする。
【０１７７】
第１プレート１１０ａ’は、図２０ないし図２１に示された第４実施形態による照明モジュールの第１プレート１１０ａと同一の材質であるが、穴１１５ａが第１プレート１１０ａ’の全面ではない一部分に形成される。具体的に、図３４を参照して説明することにする。
【０１７８】
図３４は、図３０に示された第１プレート１１０ａ’の内面を見た正面図である。
【０１７９】
図３４を参照すると、第１プレート１１０ａ’は、中心部１１１ａ’と外郭部１１３ａ’，１１３ｂ’を有し得る。
【０１８０】
中心部１１１ａ’はプレート１１０ａ’の中心部に配置され、外郭部１１３ａ’，１１３ｂ’は中心部１１１ａ’の両側に配置される。
【０１８１】
中心部１１１ａ’は穴１１５ａを有し得る。前記穴１１５ａは、第１プレート１１０ａ’の外面と内面を貫通する。前記穴１１５ａ’は、複数で第１プレート１１０ａ’に配置される。図３５ないしも３７を参照して第１プレート１１０ａ’の多様な変形例を説明することにする。
【０１８２】
図３５ないしも３７は、図３４に示された第１プレート１１０ａの変形例を示す正面図である。
【０１８３】
図３５の第１プレート１１０ａ’’は、中心部１１１ａ’と外郭部１１３ａ’，１１３ｂ’を有する。中心部１１１ａ’は複数の穴１１５ａ’を有する。前記穴１１５ａ’は、図３４に示された穴１１５ａより小さく、さらに多い。
【０１８４】
図３６に示された第１プレート１１０ａ’’’は、中心部１１１ａ’と外郭部１１３ａ’，１１３ｂ’を有する。中心部１１１ａ’は第１の穴１１５ａ’’−１と複数の第２の穴１１５ａ’’−２を有する。第１の穴１１５ａ’’−１は、中心部１１１ａ’の中央に配置され、一方向に長い長方形の形状を有する。第２の穴１１５ａ’’−２は、第１の穴１１５ａa’’−１の両側にそれぞれ一列に配置される。第２の穴１１５ａ’’−２の大きさは、第１の穴１１５ａ’’−１の大きさより小さい。
【０１８５】
図３７に示された第１プレート１１０ａ’’’’は、中心部１１１ａ’と外郭部１１３ａ’，１１３ｂ’を有する。中心部１１１ａ’は、複数の第１の穴１１５ａ’’’−１と複数の第２の穴１１５ａ’’’−２を有する。複数の第１の穴１１５ａ’’’−１は、中心部１１１ａ’の中央に一列に配置される。複数の第２の穴１１５ａ’’−２は、第１の穴１１５ａ’’’−１の両側にそれぞれ一列に配置される。第２の穴１１５ａ’’’−２の大きさは、第１の穴１１５ａ’’’−１の大きさより小さい。
【０１８６】
再び図３４を参照すると、中心部１１１ａ’には、図３３に示された反射体１６０で反射する光と第２プレート１１０ｂ’の内面で反射する光が入射する。ここで、入射する光が穴１１５ａに向かえば、入射する光は穴１１５ａを通じて外部に放出される。そして、入射する光が穴１１５ａのすきますきまに入射すれば、入射された光は第１プレート１１０ａ’の内面に入射して再び反射体１６０又は第２プレート１１０ｂ’で反射する。
【０１８７】
外郭部１１３ａ’，１１３ｂ’は穴１１５ａを有さない。したがって、外郭部１１３ａ’，１１３ｂ’は、図３２に示された第１及び第２光源部１３０ａ’，１３０ｂ’からの光を第２光学プレート１１０ｂ’で反射する。このような外郭部１１３ａ’，１１３ｂ’は、第２プレート１１０ｂ’を通して放出される光の量が、第１プレート１１０ａ’の穴１１５ａを通して放出される光の量より多いようにすることができる。
【０１８８】
前記穴１１５ａの形状は、図面では四角形状であるが、これに限定される訳ではなく、多様な形態の形状を有し得る。
【０１８９】
再び図３０ないしも３３を参照すると、第２プレート１１０ｂ’は光学プレートである。
【０１９０】
光学プレート１１０ｂ’は、第１及び第２光源部１３０ａ’，１３０ｂ’からの光を透過させる。このような光学プレート１１０ｂ’は、一般的な透明なガラス、プラスチック、又はポリカーボネート（ＰＣ）板であり得る。
【０１９１】
光学プレート１１０ｂ’は、内面に入射する光を拡散させて通過させることができる。また、光学プレート１１０ｂ’は、使用者の目を保護するために半透明又は不透明な材質であり得る。
【０１９２】
光学プレート１１０ｂ’は、第１光源部１３０ａ’の発光素子１３３ａが発光ダイオードである場合に、発光ダイオード１３３ａからの光を励起させることができる。このために、光学プレート１１０ｂ’は、先に説明した蛍光物質を有し得る。
【０１９３】
第５実施形態による照明モジュールの反射体１６０は、図２０ないし図２１に示された第４実施形態による照明モジュールの反射体１６０であってもよく、図２２ないし図２３に示された反射体１６０’であってもよい。
【０１９４】
図３８は、図３３に示された照明モジュールの変形例を示す断面図である。
【０１９５】
具体的に、図３８に示された照明モジュールは、図３３に示された照明モジュールに、第１光学シート１２０ａと第２光学シート１２０ｂをさらに追加したものである。第１及び第２光学シート１２０ａ，１２０ｂは、図６に示された第１及び第２光学シート１２０ａ，１２０ｂと同一であるため、具体的な説明は先の図６の記述に代える。
【０１９６】
図３９は、図３３に示された照明モジュールのさらに他の変形例を示す断面図である。
【０１９７】
図３９に示された照明モジュールは、図３８に示された照明モジュールに、第１及び第２拡散板１９０ａ，１９０ｂをさらに追加したものである。第１及び第２拡散板１９０ａ，１９０ｂは、図７に示された第１及び第２拡散板１９０ａ，１９０ｂと同一であるため、具体的な説明は先の図７の記述に代える。
【０１９８】
第６実施形態
図４０は、第６実施形態による照明モジュールを上から見た斜視図であり、図４１は、図４０に示された照明モジュールを下から見た斜視図であり、図４２は、図４０のＣ−Ｃ’での断面図である。
【０１９９】
図４０ないし図４２を参照すると、第６実施形態による照明モジュールは、第１プレート１１０ａ’’、第２プレート１１０ｂ’’、第１及び第２光源部１３０ａ’’，１３０ｂ’’、第１及び第２ケース１５０ａ’，１５０ｂ’、反射体１６０’’、及び第１及び第２エンドキャップ１７０ａ，１７０ｂを含み得る。ここで、第１及び第２エンドキャップ１７０ａ，１７０ｂは、図１ないし図４に示された第１実施形態による照明モジュールの第１及び第２エンドキャップ１７０ａ，１７０ｂと同一であるため、具体的な説明は省略する。
【０２００】
第１及び第２ケース１５０ａ’，１５０ｂ’を先ず説明することにする。
【０２０１】
図４０ないし図４２を参照すると、第１ケース１５０ａ’は、第１光源部１３０ａ’’を収納し、第２ケース１５０ｂ’は第２光源部１３０ｂ’’を収納する。
【０２０２】
また、第１ケース１５０ａ’は第１プレート１１０ａ’’と第２プレート１１０ｂ’’の一側部を収容し、第２ケース１５０ｂ’は第１プレート１１０ａ’’と第２光学プレート１１０ｂ’’の別の一側部を収容する。
【０２０３】
また、第１ケース１５０ａ’と第２ケース１５０ｂ’との間には、反射体１６０’’が配置される。したがって、第１ケース１５０ａ’と第２ケース１５０ｂ’との間には、第１及び第２光源部１３０ａ’’，１３０ｂ’’、第１プレート１１０ａ’’、第２プレート１１０ｂ’’、及び反射体１６０’’が配置される。
【０２０４】
第１及び第２ケース１５０ａ’，１５０ｂ’は、第１及び第２光源部１３０ａ’’，１３０ｂ’’からの熱を容易に放熱できる材質であり得る。例えば、アルミニウム、アルミニウム合金などであり得る。
【０２０５】
以下では、図４３を共に参照して第１ケース１５０ａ’について具体的に説明することにする。ここで、第１ケース１５０ａ’と第２ケース１５０ｂ’は同一であるため、第２ケース１５０ｂ’に対する説明は、後述する第１ケース１５０ａ’の説明に代える。
【０２０６】
図４３は、図４２に示された第１ケース１５０ａ’のみの拡大図である。
【０２０７】
図４０ないし図４３を参照すると、第１ケース１５０ａ’は収納部１５１ａ’を有する。収納部１５１ａ’は反射面１５３ａ’と配置面１５５ａ’によって定義され得る。収納部１５１ａ’には、第１光源部１３０ａ’’が収納される。
【０２０８】
反射面１５３ａ’は、第１光源部１３０ａ’’の発光素子１３３ａからの光を第２ケース１５０ｂ’側の方向に、あるいは反射体１６０’’の方向に反射する。
【０２０９】
反射面１５３ａ’で反射された光は、平行光になり得る。ここで、平行光は、第１ケース１５０ａ’から第２ケース１５０ｂ'に、又は、第１及び第２プレート１１０ａ’’，１１０ｂ’’の内面と平行に進む光を意味する。
【０２１０】
反射面１５３ａ’は、放物面であり得る。発光素子１３３ａが放物面１５３ａ’の焦点に位置する場合、発光素子１３３ａからの光は、放物面１５３ａ’に反射して平行光となる。
【０２１１】
配置面１５５ａ’の上には、第１光源部１３０ａ’’が配置される。配置面１５５ａ’は平坦な面であり得る。配置面１５５ａ’は、第１及び第２プレート１１０ａ’’，１１０ｂ’’の内面と平行した面であり得る。配置面１５５ａ’と反射面１５３ａ’で反射した光の少なくとも一部は、平行となり得る。配置面１５５ａ’は、第１光源部１３０ａ’’の基板１３１ａの下面と接触することができる。
【０２１２】
第１ケース１５０ａ’は、第１溝１５７ａ’−１と第２溝１５７ａ’−２を有し得る。
【０２１３】
第１溝１５７ａ’−１には第１プレート１１０ａ’’の一側部が挿入され、第２溝１５７ａ’−２には第２プレート１１０ｂ’’の一側部が挿入される。このような第１溝１５７ａ’−１と第２溝１５７ａ’−２により第１及び第２プレート１１０ａ’’，１１０ｂ’’はスライディング方式で第１ケース１５０ａ’と結合することができる。
【０２１４】
再び、図４０ないし図４２を参照すると、第１光源部１３０ａ’’は、第１ケース１５０ａ’に収容又は収納される。第１光源部１３０ａ’’は、図４３に示された収納部１５１ａ’に収納される。また、第１光源部１３０ａ’’は、図４３に示された配置面１５５ａ’の上に配置されて第２プレート１１０ｂ’’から第１プレート１１０ａ’’方向へ光を放出する。
【０２１５】
第１光源部１３０ａ’’は、図１ないし図４に示された第１実施形態による照明モジュールの基板１３１ａと発光素子１３３ａを有する。ここで、第１光源部１３０ａ’’の基板１３１ａの配置位置は、第１実施形態による照明モジュールの基板１３１ａの位置と異なる。具体的に、第１光源部１３０ａ’’の基板１３１ａは、図４３に示された第１ケース１５０ａ’の配置面１５５ａ’の上に配置される。第１光源部１３０ａ’’の基板１３１ａの配置位置を除いては第１実施形態による照明モジュールの基板１３１ａと発光素子１３３ａと同一であるため、具体的な説明は省略する。
【０２１６】
第２光源部１３０ｂ’’は第１光源部１３０ａ’’と同一であるため、第２光源部１３０ｂ’’の説明は第１光源部１３０ａ’’の説明に代える。
【０２１７】
第１プレート１１０ａ’’と第２プレート１１０ｂ’’は、第１及び第２光源部１３０ａ’’，１３０ｂ’’から放出されて反射体１６０’’で反射した光を透過させる。このような第１及び第２プレート１１０ａ’’，１１０ｂ’’は光学プレートであって、一般的な透明なガラス、プラスチック、又はポリカーボネート（ＰＣ）板であり得る。
【０２１８】
第１及び第２プレート１１０ａ’’，１１０ｂ’’は、内面で入射する光を拡散させて通過させることができる。また、第１及び第２プレート１１０ａ’’，１１０ｂ’’は、使用者の目を保護するため、半透明又は不透明な材質であり得る。
【０２１９】
第１及び第２プレート１１０ａ’’，１１０ｂ’’は、第１及び第２光源部１３０ａ’’，１３０ｂ’’の発光素子が発光ダイオードである場合に、発光ダイオードからの光を励起させることができる。このために、第１及び第２プレート１１０ａ’’，１１０ｂ’’は蛍光物質を有し得る。
【０２２０】
第１及び第２プレート１１０ａ’’，１１０ｂ’’は、添加剤をさらに含み得る。添加剤は、蛍光物質を第１及び第２プレート１１０ａ’’，１１０ｂ’’の内部で均等に分散させる。また、第１及び第２プレート１１０ａ’’，１１０ｂ’’は、拡散剤をさらに含み得る。拡散制は、第１及び第２プレート１１０ａ’’，１１０ｂ’’に含まれた蛍光物質の励起率を高めることができる。
【０２２１】
上述した事項以外に、第１及び第２プレート１１０ａ’’，１１０ｂ’’に関する他の事項は、図１ないし図４に示された第１及び第２プレート１１０ａ，１１０ｂと同一であるため、これに対する説明は図１ないし図４に示された第１及び第２プレート１１０ａ，１１０ｂに対する説明に代える。
【０２２２】
反射体１６０’’は、第１光源部１３０ａ’’と第２光源部１３０ｂ’’から放出されて第１及び第２ケース１５０ａ’，１５０ｂ’で反射した反射光を、第１プレート１１０ａ’’と第２プレート１１０ｂ’’で再反射させる。
【０２２３】
反射体１６０’’は、第１ケース１５０ａ’と第２ケース１５０ｂ’との間に配置される。具体的に、反射体１６０’’は、第１ケース１５０ａ’と第２ケース１５０ｂ’の中間地点に配置され得る。また、反射体１６０’’は、第１プレート１１０ａ’’と第２プレート１１０ｂ’’との間に配置される。具体的に、反射体１６０’’は、第１プレート１１０ａ’’と第２プレート１１０ｂ’’の中間地点に配置され得る。また、反射体１６０’’は、第１光源部１３０ａ’’と第２光源部１３０ｂ’’との間に配置され得る。具体的に、反射体１６０’’は、第１光源部１３０ａ’’と第２光源部１３０ｂ’’の中間地点に配置され得る。反射体１６０’’の構造を、図４４を参照して具体的に説明することにする。
【０２２４】
図４４は、図４２に示された反射体１６０’’のみの斜視図である。
【０２２５】
図４２及び図４４を参照すると、反射体１６０’’は、一方向に長い多角筒形状であり得る。ここで、反射体１６０’’の断面が菱形形態を有し得る。本明細書において「菱形形態」とは、幾何学的に完璧な菱形だけでなく、菱形を構成する４つの辺が反射体１６０’’の外側又は内側に湾曲したものも含む。
【０２２６】
反射体１６０’’は、少なくとも４つ以上の反射面１６０’’−１，１６０’’−２，１６０’’−３，１６０’’−４を有し得る。第１ないし第４反射面１６０’’−１，１６０’’−２，１６０’’−３，１６０’’−４は、反射体１６０’’の内側に湾曲し得る。ここで、図面に示されてはいないが、第１ないし第４反射面１６０’’−１，１６０’’−２，１６０’’−３，１６０’’−４は、反射体１６０’’の外側に湾曲し得る。
【０２２７】
第１ないし第４反射面１６０’’−１，１６０’’−２，１６０’’−３，１６０’’−４は、互いに異なる曲率を有することもある。例えば、第１ないし第４反射面１６０’’−１，１６０’’−２，１６０’’−３，１６０’’−４のうち、第１プレート１１０ａ’’と隣接した第１及び第２反射面１６０’’−１，１６０’’−２と、第２プレート１１０ｂ’’と隣接した第３及び第４反射面１６０’’−３，１６０’’−４の曲率が互いに異なり得る。もう少し具体的に、第１反射面１６０’’−１と第２反射面１６０’’−２の曲率は同一であり、第３反射面１６０’’−３と第４反射面１６０’’−４の曲率は同一であり得る。しかし、第１及び第２反射面１６０’’−１，１６０’’−２の曲率は、第３及び第４反射面１６０’’−３，１６０’’−４の曲率より小さくてもよい。この場合、第１及び第２反射面１６０’’−１，１６０’’−２から第１プレート１１０ａ’’の内面までの最長距離は、第３及び第４反射面１６０’’−３，１６０’’−４から第２プレート１１０ｂ’’の内面までの最長距離より小さい。
【０２２８】
このように、第１ないし第４反射面１６０’’−１，１６０’’−２，１６０’’−３，１６０’’−４は、互いに異なる曲率を有すると、第１プレート１１０ａ’’と第２プレート１１０ｂ’’から放出される光の量を異なるように調節することができる。また、第１プレート１１０ａ’’と第２プレート１１０ｂ’’から放出される光の配光形態を互いに異なるようにすることができる。例えば、第１プレート１１０ａ’’から放出される光は、ランバート（ｌａｍｂｅｒｔｉａｎ）の配光形態を有してもよく、第２プレート１１０ｂ’’から放出される光は、バットウイング（ｂａｔ ｗｉｎｇ）の配光形態を有し得る。
【０２２９】
図４５ないしも４６は、図４２に示された照明モジュールの光学的特性を示すグラフである。
【０２３０】
図４５に示されたグラフにおいて、横軸は位置（ｐｏｓｉｔｉｏｎ）を示し、縦軸は明るさ（ｌｕｘ）を意味する。ここで、横軸の「０」は、図４２に示された第１光源部１３０ａ’’と第２光源部１３０ｂ’’の中間地点を意味する。
【０２３１】
図４５と図４６を参照すると、図４２に示された照明モジュールは、上（ｕｐ）と下（ｄｏｗｎ）に同時に光を放出し、下（ｄｏｗｎ）に放出される光の量が上（ｕｐ）に放出される光の量より多いことが分かる。
【０２３２】
一方、下の＜表１＞は、先に上述した第１ないし第６実施形態による照明モジュールの一つのスペック（ｓｐｅｃ.）である。
【表１】
2014522081.tif 000003
【０２３３】
前記＜表１＞を参照すると、第１ないし第６実施形態による照明モジュールにおいて、上に放出されるルーメン値が、下に放出されるルーメン値より小さい。しかし、反対に、上に放出されるルーメン値が下に放出されるルーメン値よりさらに大きくてもよい。
【０２３４】
もう少し具体的に、第１ないし第６実施形態による照明モジュールにおいて、下に放出されるルーメン値は、上に放出されるルーメン値に１倍以上９倍以下であり得る。
【０２３５】
第１ないし第６実施形態による照明モジュールの幅（Ｗ（ｍｍ））*高さ（Ｈ（ｍｍ））*長さ（Ｌ（ｍｍ））は、８０*１２*５６０、又は、４５*１２*５６０の何れか一つであり得る。
【０２３６】
以上で、実施形態を中心に説明したが、これはただ例示にすぎず、本発明を限定するものではなく、本発明が属する技術分野の通常の知識を有する者であれば、本実施形態の本質的な特性を外れない範囲で、以上に例示されない様々な変形や応用が可能であることが分かるはずである。例えば、実施形態に具体的に示された各構成要素は、変形して実施することができるものである。そして、このような変形と応用に関係した相違点は、添付された請求の範囲で規定する本発明の範囲に含まれるものと解釈されるべきであるといえる。
【図１】
2014522081.tif 000004
【図２】
2014522081.tif 000005
【図３】
2014522081.tif 000006
【図４】
2014522081.tif 000007
【図５】
2014522081.tif 000008
【図６】
2014522081.tif 000009
【図７】
2014522081.tif 000010
【図８】
2014522081.tif 000011
【図９】
2014522081.tif 000012
【図１０】
2014522081.tif 000013
【図１１】
2014522081.tif 000014
【図１２】
2014522081.tif 000015
【図１３】
2014522081.tif 000016
【図１４】
2014522081.tif 000017
【図１５】
2014522081.tif 000018
【図１６】
2014522081.tif 000019
【図１７】
2014522081.tif 000020
【図１８】
2014522081.tif 000021
【図１９】
2014522081.tif 000022
【図２０】
2014522081.tif 000023
【図２１】
2014522081.tif 000024
【図２２】
2014522081.tif 000025
【図２３】
2014522081.tif 000026
【図２４】
2014522081.tif 000027
【図２５】
2014522081.tif 000028
【図２６】
2014522081.tif 000029
【図２７】
2014522081.tif 000030
【図２８】
2014522081.tif 000031
【図２９】
2014522081.tif 000032
【図３０】
2014522081.tif 000033
【図３１】
2014522081.tif 000034
【図３２】
2014522081.tif 000035
【図３３】
2014522081.tif 000036
【図３４】
2014522081.tif 000037
【図３５】
2014522081.tif 000038
【図３６】
2014522081.tif 000039
【図３７】
2014522081.tif 000040
【図３８】
2014522081.tif 000041
【図３９】
2014522081.tif 000042
【図４０】
2014522081.tif 000043
【図４１】
2014522081.tif 000044
【図４２】
2014522081.tif 000045
【図４３】
2014522081.tif 000046
【図４４】
2014522081.tif 000047
【図４５】
2014522081.tif 000048
【図４６】
2014522081.tif 000049
【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
互いに対応するように配置された第１及び第２光源部と、
前記第１光源部が配置される第１ケースと、
前記第２光源部が配置される第２ケースと、
一側が前記第１ケースに連結されて別の一側が前記第２ケースに連結され、前記第１及び第２光源部からの光が通過する第１の穴を有する第１プレートと、
前記第１プレートと対応するように配置され、前記第１及び第２光源部からの光が通過する第２の穴を有する第２プレートと、
前記第１及び第２プレートに配置された第１及び第２光学シートと、
を含む、照明モジュール。
【請求項２】
前記第１プレートの第１の穴の大きさと前記第２プレートの第２の穴の大きさは互いに異なる、請求項１に記載の照明モジュール。
【請求項３】
前記第１光源部と前記第２光源部との間に配置され、前記第１及び第２光源部からの光を前記第１及び第２プレート方向へ反射する反射面を有する反射体をさらに含む、請求項２に記載の照明モジュール。
【請求項４】
前記反射体の反射面は、所定の曲率を有する、請求項３に記載の照明モジュール。
【請求項５】
前記反射体は複数の反射面を有し、
前記複数の反射面は、同一の曲率を有するか互いに異なる曲率を有する、請求項３又は４に記載の照明モジュール。
【請求項６】
前記反射体は、円筒又は多角筒である、請求項３から５のいずれか１項に記載の照明モジュール。
【請求項７】
前記第１プレートの第１の穴と前記第２プレートの第２の穴は、複数で均一又は非均一に配置された、請求項１から６のいずれか１項に記載の照明モジュール。
【請求項８】
前記第１光学シートは、前記第１及び第２光源部からの光のうち少なくとも一部を乱反射し、前記第２光学シートは、前記第１及び第２光源部からの光のうち少なくとも一部を正反射する、請求項１から７のいずれか１項に記載の照明モジュール。
【請求項９】
前記第１光源部は、基板と前記基板上に配置された発光素子を有し、
前記第１ケースは、
前記基板が配置されるベースと、前記ベースに連結されて互いに対応するように配置された上部ケースと下部ケースを有し、
前記上部ケースは前記第１プレートの一側と結合し、前記下部ケースは前記第２プレートの一側と結合する、請求項１から８のいずれか１項に記載の照明モジュール。
【請求項１０】
前記光源部の基板と前記ケースのベースとの間に配置される放熱シートをさらに含む、請求項９に記載の照明モジュール。
【請求項１１】
前記第１及び第２プレートの外面に配置された第１及び第２拡散板をさらに含む、請求項１から１０のいずれか１項に記載の照明モジュール。
【請求項１２】
前記第１及び第２プレートと前記第１及び第２ケースに連結される第１及び第２エンドキャップをさらに含む、請求項１から１１のいずれか１項に記載の照明モジュール。
【請求項１３】
前記第１ケースに配置され、前記第１光源部からの光を前記第２光源部側の方向へ反射する反射部材をさらに含む、請求項１から１２のいずれか１項に記載の照明モジュール。
【請求項１４】
前記第１光源部は、基板と前記基板上に配置された発光素子とを含み、
前記反射部材は、前記発光素子の一側の横に配置された第１反射部材と前記発光素子の別の一側の横に配置された第２反射部材とを含む、請求項１３に記載の照明モジュール。
【請求項１５】
前記第１反射部材の反射面と前記第２反射部材の反射面は、対称又は非対称である、請求項１４に記載の照明モジュール。
【請求項１６】
前記第１反射部材の反射面と前記第２反射部材の反射面は、双曲線又は楕円である、請求項１５に記載の照明モジュール。
【請求項１７】
前記第１ケースに配置され、前記第１光源部からの光を前記第２光源部側の方向へ集光する光学部材をさらに含む、請求項１から１６のいずれか１項に記載の照明モジュール。
【請求項１８】
前記光学部材は、蛍光物質を含む、請求項１７に記載の照明モジュール。
【請求項１９】
前記第１光源部は、基板と前記基板上に配置された発光素子とを含み、
前記光学部材は、前記第１光源部と前記基板上に配置されたレンズである、請求項１７又は１８に記載の照明モジュール。
【国際調査報告】
2014522081.tif 000050
2014522081.tif 000051